(57)【要約】      （修正有）【課題】有毒な有機溶媒等が収容されているドラム缶の蓋を開けたときに、開口から液体の状態または気化した状態で有機溶媒等が噴出または飛散することを防止できる開閉器を提供する。【解決手段】開閉器１０は、たとえばドラム缶の開口に備えられた蓋を開閉するものである。開閉器１０は、開閉部１１および遮蔽部（第１遮蔽部１３および第２遮蔽部１４）を有している。開閉部１１は、蓋に当接し、その蓋を開閉する。遮蔽部（第１遮蔽部１３および第２遮蔽部１４）は、蓋が開けられたときに外部に臨む開口を遮るように設けられる。【選択図】図１
0003178388.tif 000002
【実用新案登録請求の範囲】
【請求項１】
容器の開口に備えられた蓋を開閉する開閉器であって、
前記蓋に当接し、前記蓋を開閉する開閉部と、
前記蓋が開けられたときに外部に臨む前記開口を遮るように設けられる遮蔽部と、を有することを特徴とする開閉器。
【請求項２】
前記遮蔽部は、前記開閉部に対して着脱可能であることを特徴とする請求項１に記載の開閉器。
【請求項３】
前記遮蔽部の少なくとも一部は、可視光領域の光に対して透明であることを特徴とする請求項１または２に記載の開閉器。
【請求項４】
前記開閉部は、前記遮蔽部に対して一体に形成されていることを特徴とする請求項１または３に記載の開閉器。
【請求項５】
前記開閉部に接合され、手で担持可能な長尺形状に形成された持手部をさらに有し、
前記開閉部の一端は、前記蓋に当接し、
前記持手部は、前記開閉部の前記一端から離間した位置に接合されていることを特徴とする請求項１〜４のいずれか１項に記載の開閉器。
【考案の詳細な説明】
【技術分野】
【０００１】
本考案は、開閉器に関する。
【背景技術】
【０００２】
従来、容器の開口に備えられた蓋を開けたときに、容器に収容されていた液体が、開口から噴出して飛散してしまうことがあった。たとえば、容器の中で気化した有毒な有機溶媒等が開口から飛散すると、その有毒な有機溶媒等を、作業者が吸い込んだり、または作業者が浴びたりする虞がある。
【０００３】
そこで、容器への取付部と液状内容物を注出する開口を有するノズルとを有する本体と、ノズルの開口を封止する封止部と、本体と封止部とを接続するヒンジ部とを備え、ノズルの開口が１本以下の線対称軸を有する形状を有したヒンジキャップの技術が開示されている。ノズルの開口が１本以下の線対称軸を有する形状であることから、ノズルの内周に付着する液状内容物の表面張力のバランスが崩れ、液状内容物が容器の内部に戻る（特許文献１を参照）といった発明が公開されている。
【先行技術文献】
【特許文献】
【０００４】
【特許文献１】特開２０１１−２４６１３７号公報
【考案の概要】
【考案が解決しようとする課題】
【０００５】
しかしながら上記特許文献１の構成では、ノズルの内周に付着する液状内容物の表面張力のバランスが崩れることを利用していることから、ヒンジキャップの適用範囲が液状の内容物に限定されてしまう。
【０００６】
本考案は、上記の課題を解決するためになされたものであり、容器の開口に備えられた蓋を開けたときに、容器に収容されていた液体が、開口から液体の状態または気化した状態で飛散することを防止できる開閉器の提供を目的とする。
【課題を解決するための手段】
【０００７】
上記目的を達成する本考案に係る開閉器は、容器の開口に備えられた蓋を開閉するものである。開閉器は、開閉部および遮蔽部を有している。開閉部は、蓋に当接し、その蓋を開閉する。遮蔽部は、蓋が開けられたときに外部に臨む開口を遮るように設けられる。
【考案の効果】
【０００８】
上記のように構成した本考案の開閉器は、容器の開口に備えられた蓋を開けたときに、容器に収容されていた液体が、開口から液体の状態または気化した状態で飛散することを防止できる。
【図面の簡単な説明】
【０００９】
【図１】第１実施形態に係る開閉器を示す図である。
【図２】第１実施形態に係る開閉器を分解した状態で示す斜視図である。
【図３】第１実施形態に係る開閉器に対応した蓋の一つの形態である蓋を示す斜視図である。
【図４】第１実施形態に係る開閉器に対応した蓋の他の形態である蓋を示す斜視図である。
【図５】第１実施形態に係る開閉器を用いてドラム缶に備えられた蓋を開閉する状態を示す斜視図である。
【図６】第２実施形態に係る開閉器を示す図である。
【図７】第３実施形態に係る開閉器を示す図である。
【図８】図７（ａ）に示す開閉器を上下方向に反転させた状態の斜視図である。
【図９】第３実施形態に係る開閉器に対応した蓋を示す斜視図である。
【考案を実施するための形態】
【００１０】
以下、添付した図面を参照しながら、本考案の実施形態を説明する。図面の説明において同一の要素には同一の符号を付し、重複する説明を省略する。図面における各部材の大きさや比率は、説明の都合上誇張され実際の大きさや比率とは異なる場合がある。
【００１１】
（第１の実施形態）
まず、開閉器１０の構成について、図１および図２を参照しながら説明する。
【００１２】
図１は、開閉器１０を示す図であり、図１（ａ）は開閉器１０を示す斜視図、図１（ｂ）は開閉器１０をその長手方向に沿って断面で示す斜視図、図１（ｃ）は開閉器１０をその長手方向に沿って断面で示す側面図である。図２（ａ）および図２（ｂ）は、開閉器１０を分解した状態で示す斜視図である。
【００１３】
開閉器１０は、開閉部１１、持手部１２、遮蔽部（第１遮蔽部１３および第２遮蔽部１４）、および封止部１５から構成される。開閉器１０の開閉部１１は、たとえば、ステンレスからなり、板状に形成されている。開閉部１１の一端１１ａは、後述する蓋１１０等に当接される。開閉部１１に開口された貫通孔１１ｂに、後述する持手部１２が挿通される。開閉器１０の持手部１２は、たとえば、ステンレスからなり、円柱形状に形成されている。持手部１２は、重量を軽減するために、円筒形状から形成し、その両端を閉口してもよい。持手部１２は、開閉部１１の貫通孔１１ｂに挿通された状態で、たとえば溶接されている。
【００１４】
遮蔽部（第１遮蔽部１３および第２遮蔽部１４）は、たとえば、ステンレスからなり、組み合された状態で一端１３ａが開口し内部に開閉部１１を収納し他端１４ｂが閉口した、円筒形状からなる。第１遮蔽部１３は、円筒形状に形成され、その一端１３ａは後述するドラム缶２００に当接し他端１３ｂは第２遮蔽部１４に当接する。第２遮蔽部１４は、上面が閉口した蓋状に形成され、その一端１４ａは第１遮蔽部１３に当接し他端１４ｂは閉口している。第１遮蔽部１３および第２遮蔽部１４は、組み合された状態で楕円形状になるように、半楕円形状の開口１３ｃおよび１４ｃがそれぞれ形成されている。この開口１３ｃおよび１４ｃが組み合された楕円形状の開口に、持手部１２が挿入される。第１遮蔽部１３の他端１３ｂと第２遮蔽部１４の一端１４ａには、回動可能な回動部１３ｄおよび１４ｄがそれぞれ設けられている。第１遮蔽部１３の接続部１３ｄおよび第２遮蔽部１４の接続部１４ｄに対向した箇所に、着脱可能な鉤部１３ｅおよび１４ｅがそれぞれ設けられている。
【００１５】
開閉器１０の封止部１５は、たとえば、ステンレスからなり、湾曲した板状からなる。封止部１５は、一対からなり、その中央に設けられた挿入孔１５ａに持手部１２が挿入された状態で、たとえば溶接されている。封止部１５は、第１遮蔽部１３および第２遮蔽部１４の半楕円形状の開口１３ｃおよび１４ｃが組み合された楕円形状の開口に対し、持手部１２が挿入された状態で生じる隙間を埋める。
【００１６】
開閉器１０は、図２に示すように、第１遮蔽部１３と第２遮蔽部１４を開口した状態で、持手部１２および封止部１５が接合された開閉部１１を着脱することができる。特に、後述する図５（ａ）において、まずドラム缶２００の上面に第１遮蔽部１３と第２遮蔽部１４を開口した状態で載置し、その上で持手部１２および封止部１５が接合された開閉部１１を挿入し、その後に第２遮蔽部１４を閉めることができる。
【００１７】
つぎに、開閉器１０の使用形態について、図３〜図５を参照しながら説明する。
【００１８】
図３は、開閉器１０に対応した蓋の一つの形態である蓋１１０を示す斜視図である。図４は、開閉器１０に対応した蓋の他の形態である蓋１２０を示す斜視図である。図５は、開閉器１０を用いてドラム缶２００に備えられた蓋１００ａを開閉する状態を示す斜視図であり、図５（ａ）は開閉器１０を用いて蓋１００ａを開ける状態を示す斜視図、図５（ｂ）は開閉器１０を用いて蓋１００ａを閉める状態を示す斜視図である。
【００１９】
開閉器１０に対応する一つの形態に相当する蓋１１０は、図３に示すように、蓋部１１１、当接部１１２、および密閉部１１３から構成される。蓋１１０の蓋部１１１は、たとえば、ステンレスからなり、下部が閉口した円筒形状に形成されている。蓋部１１１の外周面１１１ａには、ネジ山が形成され、その上端に後述するパッキンからなる密閉部１１３を係留するための鍔が設けられている。蓋部１１１の上部に開口された載置穴１１１ｂには、後述する当接部１１２が載置された状態で、その当接部１１２が、たとえば溶接されている。
【００２０】
蓋１１０の当接部１１２は、たとえば、ステンレスからなり、板状の両端に弓状の突出部をそれぞれ設けている。この突出部に、開閉部１１を付勢させることにより、蓋１１０を開閉する。具体的には、開閉器１０の開閉部１１を当接部１１２の突出面１１２ａおよび１１２ｄに引っ掛けた状態で、その開閉部１１を半時計方向に付勢させると、蓋１１０が開く方向に回転する。一方、開閉器１０の開閉部１１を当接部１１２の突出面１１２ｂおよび１１２ｃに引っ掛けた状態で、その開閉部１１を時計方向に付勢させると、蓋１１０が閉まる方向に回転する。蓋１１０の密閉部１１３は、たとえば硬質ゴムからなり、断面が円形状に形成された無端状のパッキンである。
【００２１】
また、開閉器１０に対応する他の形態に相当する蓋１２０は、図４に示すように、蓋１１０と同様の構成からなる蓋部１１１および密閉部１１３と、蓋１２０に特有の構成からなる当接部１２２から構成される。蓋１２０の当接部１２２は、たとえば、ステンレスからなり、板状の長手方向に沿って両端を屈折させることによりコの字形状に形成されている。この当接部１２２の内面１２２ａおよび１２２ｂの間に、開閉部１１を挿入した状態で付勢させることにより、蓋１２０を開閉する。具体的には、開閉器１０の開閉部１１を当接部１２２の内面１２２ａおよび１２２ｂの間に挿入した状態で、その開閉部１１を半時計方向に付勢させると、蓋１２０は開く方向に回転する。一方、開閉器１０の開閉部１１を当接部１２２の内面１２２ａおよび１２２ｂの間に挿入した状態で、その開閉部１１を時計方向に付勢させると、蓋１２０は閉じる方向に回転する。
【００２２】
開閉器１０に対応する蓋１１０および蓋１２０は、図５に示すドラム缶２００の上面に設けられた開口２００ａ用の蓋１００ａに相当する。なお、開閉器１０に対応する蓋１１０および蓋１２０は、ドラム缶２００の上面に設けられたサンプリング抽出孔または通気孔からなる開口２００ｂ用の蓋１００ｂに適用してもよい。図５（ａ）は、開閉器１０を蓋１１０および蓋１２０に相当する蓋１００ａに装着した上で反時計方向Ｆ１に回し、蓋１００ａを開ける状態を示している。図５（ｂ）は、開閉器１０を蓋１１０および蓋１２０に相当する蓋１００ａに装着した上で時計方向Ｆ２に回し、蓋１００ａを閉じる状態を示している。なお、遮蔽部（第１遮蔽部１３および第２遮蔽部１４）は、蓋１００ａを閉じる際には必ずしも必要ではないため、装着を省略している。
【００２３】
上述した第１実施形態の開閉器１０によれば、以下の作用効果を奏する。
【００２４】
開閉器１０は、たとえばドラム缶２００の開口２００ａに備えられた蓋１００ａを開閉するものである。開閉器１０は、開閉部１１および遮蔽部（第１遮蔽部１３および第２遮蔽部１４）を有している。開閉部１１は、蓋１００ａに当接し、その蓋１００ａを開閉する。遮蔽部（第１遮蔽部１３および第２遮蔽部１４）は、蓋１００ａが開けられたときに外部に臨む開口２００ａを遮るように設けられる。
【００２５】
このように構成した開閉器１０によれば、ドラム缶２００の開口２００ａに備えられた蓋１００ａを開けたときに、ドラム缶２００に収容されていた液体が、開口２００ａから液体の状態または気化した状態で噴出して飛散することを防止できる。
【００２６】
具体的には、開閉器１０は、たとえばドラム缶２００の蓋１００ａを開けたときに、ドラム缶２００の中で気化した有毒な有機溶媒等が開口２００ａから外部に噴出しても、遮蔽部（第１遮蔽部１３および第２遮蔽部１４）で遮蔽している。したがって、ドラム缶２００の蓋１００ａを開けた作業者が、その有毒な有機溶媒等を、吸い込んだり、または皮膚に浴びたりすることを防止できる。さらに、ドラム缶２００の周囲に、その有毒な有機溶媒等が飛散して汚染することを防止できる。
【００２７】
開閉器１０は、遮蔽部（第１遮蔽部１３および第２遮蔽部１４）を開閉部１１に対して着脱可能に構成してもよい。
【００２８】
このように構成した開閉器１０によれば、開閉部１１を覆っている遮蔽部（第１遮蔽部１３および第２遮蔽部１４）を取り外し、開閉部１１を直接視認した状態で、その開閉部１１をドラム缶２００の蓋１００ａ等に当接させることができる。したがって、蓋１００ａに対して開閉部１１を容易に当接させることができる。
【００２９】
開閉器１０は、遮蔽部（第１遮蔽部１３および第２遮蔽部１４）の少なくとも一部を可視光領域の光に対して透明に構成してもよい。
【００３０】
このように構成した開閉器１０によれば、透明な遮蔽部（第１遮蔽部１３および第２遮蔽部１４）越しに開閉部１１を視認しながら、その開閉部１１をドラム缶２００の蓋１００ａ等に当接させることができる。したがって、蓋１００ａに対して開閉部１１を容易に当接させることができる。
【００３１】
開閉器１０は、開閉部１１に接合され手で担持可能な長尺形状に形成された持手部１２をさらに有する構成としてもよい。開閉部１１の一端１１ａは、たとえば蓋１００ａに当接する。この持手部１２は、開閉部１１の一端１１ａから離間した位置に接合されている。
【００３２】
このように構成した開閉器１０によれば、作業者は、持手部１２を介してドラム缶２００の蓋１００ａ等を開閉することにより、その蓋１００ａ等から十分な距離を取ることができる。したがって、作業者は、蓋１００ａの開閉に係る作業を、開閉器１０を用いてより安全に行うことができる。また、作業者は、持手部１２を介することにより、蓋１００ａ等の開閉をテコの原理により省力で行うことができる。さらに、開閉部１１の一端１１ａから離間した位置に持手部１２が接合されていることから、持手部１２とドラム缶２００との間に十分な隙間が発生する。したがって、作業者は、持手部１２を持って開閉部１１を回動させたときに、ドラム缶２００の縁等に手の指等を接触させて負傷することを防止できる。
【００３３】
（第２の実施形態）
第２実施形態に係る開閉器２０は、第１実施形態に係る開閉器１０と異なり、開閉部２１が遮蔽部２３に接合されていることに特徴を有している。一方、第２実施形態に係る開閉器２０の基本的な構成は、第１実施形態に係る開閉器１０と同様である。そこで、第２実施形態では、第１実施形態と異なる構成を中心に、図６を参照しながら説明する。
【００３４】
図６は、開閉器２０を示す図であり、図６（ａ）は開閉器２０を示す斜視図、図６（ｂ）は開閉器２０をその長手方向に沿って断面で示す斜視図、図６（ｃ）は開閉器２０をその長手方向に沿って断面で示す側面図である。
【００３５】
開閉器２０は、開閉部２１、持手部２２、および遮蔽部２３から構成される。開閉器２０の開閉部２１は、前述した開閉器１０の開閉部１１と、形状および材質ともに同様である。開閉器２０の持手部２２は、前述した開閉器１０の持手部１２と、同様の材質である。一方、持手部２２の一端２２ａは、後述する遮蔽部２３の内周面２３ｃに当接した状態で、たとえば溶接されている。開閉器２０の遮蔽部２３は、前述した開閉器１０の遮蔽部（第１遮蔽部１３および第２遮蔽部１４）と、同様の材質である。一方、開閉器２０の遮蔽部２３は、開閉器１０の遮蔽部（第１遮蔽部１３および第２遮蔽部１４）を一体に形成した形状に相当する。遮蔽部２３は、一端２３ａが開口し内部に開閉部２１を収納し他端２３ｂが閉口した、円筒形状からなる。遮蔽部２３の側面に開口された挿入孔２３ｄは、持手部２２の一端２２ａが挿通された状態で、たとえば溶接されている。
【００３６】
上述した第２実施形態の開閉器２０によれば、さらに以下の作用効果を奏する。
【００３７】
開閉器２０は、開閉部２１が遮蔽部２３に接合されている。
【００３８】
このように構成した開閉器２０によれば、開閉部２１と遮蔽部２３を一体に接合している状態であることから、十分な強度を有する。したがって、開閉器２０を取り扱うときに、床への落下や壁面への接触が発生しても、その開閉器２０の破損を防止することができる。このような構成は、特に、遮蔽部２３の少なくとも一部を可視光領域の光に対して透明に構成し、開閉器２０を分解しなくても、遮蔽部２３越しに開閉部２１を視認可能な場合に好ましい。また、このような開閉器２０は、遮蔽部２３の外周面に明確な目印を表示した上で、その目印に合わせて取り扱えば、開閉器２０を分解しなくても、開閉部２１の一端２１ａが蓋１００ａ等に容易に当接するような場合に好ましい。
【００３９】
（第３の実施形態）
第３実施形態に係る開閉器３０は、第１実施形態に係る開閉器１０と異なり、開閉部（３１ｂおよび３１ｄ）が遮蔽部３１に対して一体に形成されていることに特徴を有している。そこで、第３実施形態では、第１実施形態と異なる構成を中心に、図７〜図９を参照しながら説明する。
【００４０】
図７は、開閉器３０を示す図であり、図７（ａ）は開閉器３０を示す斜視図、図７（ｂ）は開閉器３０をその長手方向に沿って断面で示す斜視図、図７（ｃ）は開閉器３０をその長手方向に沿って断面で示す側面図である。図８は、図７（ａ）に示す開閉器３０を上下方向に反転させた状態の斜視図である。図９は、開閉器３０に対応した蓋１３０を示す斜視図である。
【００４１】
開閉器３０は、遮蔽部３１および持手部３２から構成される。開閉器３０の遮蔽部３１は、前述した開閉器１０の遮蔽部（第１遮蔽部１３および第２遮蔽部１４）と、同様の材質である。一方、開閉器３０の遮蔽部３１は、円錐台形状に形成され、対向する両面のうちの一面に第１穴３１ａが形成され、その第１穴３１ａには六角形状からなる開閉部３１ｂが設けられている。遮蔽部３１の両面のうちの他面に第２穴３１ｃが形成され、その第２穴３１ｃには六角形状からなる開閉部３１ｄが設けられている。図７および図８に示すように、遮蔽部３１の対向する両面に対して、異なる形状の開閉部３１ｂおよび３１ｄを形成している。開閉器３０の持手部３２は、前述した開閉器１０の持手部１２と、同様の材質である。一方、持手部３２の一端３２ａは、遮蔽部３１の側面に開口された挿入孔３１ｅに挿入された状態で、たとえば溶接されている。
【００４２】
開閉器３０の第１穴３１ａや第２穴３１ｃに対応する蓋１３０は、図９に示すように、蓋部１３１および密閉部１３３から構成される。蓋１３０の蓋部１３１は、前述した蓋１１０の蓋部１１１と同様の材質からなる。一方、蓋部１３１は、前述した蓋部１１１の外周面に対して六角形状の突出部１３１ｃが設けられた形状に相当する。蓋１３０の密閉部１３３は、前述した蓋１１０の密閉部１１３と同様の材質からなり、断面が長方形状に形成された無端状のパッキンである。開閉器３０に形成された第１穴３１ａや第２穴３１ｃは、蓋部１３１の突出部１３１ｃに係合する。
【００４３】
上述した第３実施形態の開閉器３０によれば、さらに以下の作用効果を奏する。
【００４４】
開閉部３１ｂおよび３１ｄは、遮蔽部３１に対して一体に形成されている。
【００４５】
このように構成した開閉器３０によれば、非常に簡便な構成により、たとえばドラム缶２００の蓋１００ａを開けたときに、ドラム缶２００の中で気化した有毒な有機溶媒等が開口２００ａから外部に噴出しても、遮蔽部３１で遮蔽することができる。
【００４６】
さらに、このような構成の開閉器３０によれば、遮蔽部３１の対向する両面に対して、異なる形状の開閉部３１ｂおよび３１ｄを形成することができる。したがって、１個の開閉器３０で、異なる２種類の形状の蓋１３０を開閉することができる。さらに、遮蔽部３１の第１穴３１ａに形成された開閉部３１ｂの形状を目印として、その反対側の第２穴３１ｃに形成された開閉部３１ｄの位置を確認することができる。したがって、遮蔽部３１の開閉部３１ｂを視認しながら、その裏面側の開閉部３１ｄを蓋１３０に当接することが容易である。
【００４７】
そのほか、本考案は、特許請求の範囲に記載された構成に基づき様々な改変が可能であり、それらについても本考案の範疇である。たとえば、金属板は、絶縁板に置き換えてもよい。
【符号の説明】
【００４８】
１０，２０，３０  開閉器、
１１，２１  開閉部、
１２，２２，３２  持手部、
１３  第１遮蔽部、
１４  第２遮蔽部、
１５  封止部、
２３  遮蔽部、
３１  遮蔽部、
１００ａ，１００ｂ，１１０，１２０，１３０  蓋、
１１１，１３１  蓋部、
１１２  当接部、
１１３，１３３  密閉部、
１２２  当接部、
１３１ｃ  突出部、
２００  ドラム缶、
２００ａ，２００ｂ  開口。
【図１】
0003178388.tif 000003
【図２】
0003178388.tif 000004
【図３】
0003178388.tif 000005
【図４】
0003178388.tif 000006
【図５】
0003178388.tif 000007
【図６】
0003178388.tif 000008
【図７】
0003178388.tif 000009
【図８】
0003178388.tif 000010
【図９】
0003178388.tif 000011